(57)【要約】      （修正有）【課題】予め定められた者のみに対して容易に所定の情報を通知可能な情報表示システムを提供する。【解決手段】複数の異なる種類の情報を取得する取得手段と、取得した各情報を発光制御する発光制御手段と、各情報を発光表示する端末機６５と、を備え、端末機６５は、時刻がアナログ表示された時計部と、時刻の外周に沿って配置される複数列の発光体９５と、を備え、発光制御手段は、時刻の１２時を原点位置として、各情報に対応する時刻の数値に相当する各列の発光体９５を発光制御する。【選択図】図２
2019074499.tif 000002
【特許請求の範囲】
【請求項１】
複数の異なる種類の情報を取得する取得手段と、取得した各情報を発光制御する発光制御手段と、各情報を発光表示する端末機と、を備え、
前記端末機は、
時刻がアナログ表示された時計部と、
前記時刻の外周に沿って配置される複数列の発光体と、を備え、
前記発光制御手段は、
前記時刻の１２時を原点位置として、前記各情報に対応する前記時刻の数値まで前記各列の発光体を発光制御することを特徴とする情報表示システム。
【請求項２】
前記発光体は、前記時刻の各数値の外側に配置される複数の発光素子で構成されることを特徴とする請求項１に記載の情報表示システム。
【請求項３】
前記情報を百分率で表す場合には、前記時刻の１０時の外側に配置される発光素子を発光させることを特徴とする請求項２に記載の情報表示システム。
【請求項４】
前記発光制御手段は、
予め規定された閾値に基いて、発光する色を制御することを特徴とする請求項１〜３のいずれか一項に記載の情報表示システム。
【請求項５】
前記発光制御手段は、
単位時間当たりの情報の増減に応じて、時刻の高い数値から低い数値、又は低い数値から高い数値に向かって光が移動するように発光体を発光制御することを特徴とする請求項１〜４のいずれか一項に記載の情報表示システム。
【発明の詳細な説明】
【技術分野】
【０００１】
本発明は、複数の情報を表示する情報表示システムに関する。
【背景技術】
【０００２】
デパートやショッピングセンター等の商業施設では、営業活動のなかで従業員に様々な情報を通知する必要がある。一般的にこれらの通知は、余計な混乱を招くおそれがあるため、顧客に知られないように、且つ購入を妨げないように従業員のみに知らせる必要があり、例えば、予め所定の情報を規定された番号に対応づけておき、所定の番号を放送することで従業員に所定の情報が通知される。
【０００３】
一方、コンテナヤード等の大規模空間エリアや大きな騒音が生じる工場等では、放送した音声が従業員に届きにくく、放送による情報の通知は困難である。
【０００４】
ところで、放送以外の手段により従業員に情報を通知するシステムは複数存在するものの、簡易な手段で従業員に情報を通知するシステムがあれば便利である（特許文献１）。
【先行技術文献】
【特許文献】
【０００５】
【特許文献１】特開２０１５−００５１４４号公報
【発明の開示】
【発明が解決しようとする課題】
【０００６】
ここで、通知する情報の一例としては、電力量、店舗内の人数、犯罪情報等がある。
【０００７】
例えば、商業施設では、コスト削減のために電力量が管理されているものの、管理者のみがこの電力量を把握しており、従業員に注意喚起することができていない点が、コスト削減が進まない一つの要因となっている。
【０００８】
また、従業者は、店舗内の混み具合を把握していることが望ましいものの、様々な業務を行う必要があるため、常時、混み具合を把握することが困難である。
【０００９】
また、大型商業施設では、万引き等の犯罪が生じても他のエリアの従業員は把握することができない。したがって、何等かの犯罪等が発生していても顧客を安全に誘導等することができない。
【００１０】
そこで、本発明は上記問題を課題の一例として為されたもので、予め定められた者のみに対して容易に所定の情報を通知可能な情報表示システムを提供することを目的とする。
【課題を解決するための手段】
【００１１】
上記課題を解決するために、請求項１に記載の情報表示システム（Ｓ）は、複数の異なる種類の情報を取得する取得手段（１０）と、取得した各情報を発光制御する発光制御手段（７０）と、各情報を発光表示する端末機（６５）と、を備え、前記端末機は、時刻がアナログ表示された時計部（６８）と、前記時刻の外周に沿って配置される複数列の発光体（９５）と、を備え、前記発光制御手段は、前記時刻の１２時を原点位置として、前記各情報に対応する前記時刻の数値まで前記各列の発光体を発光制御することを特徴とする。
【００１２】
また、請求項２に記載の情報表示システムは、請求項１に記載の情報表示システムにおいて、前記発光体は、前記時刻を表す各目盛の外側に配置される複数の発光素子（９４）で構成されることを特徴とする。
【００１３】
また、請求項３に記載の情報表示システムは、請求項２に記載の情報表示システムにおいて、前記情報を百分率で表す場合には、前記時刻の１０時の外側に配置される発光素子（９４Ａ）を発光させることを特徴とする。
【００１４】
また、請求項４に記載の情報表示システムは、請求項１〜３のいずれか一項に記載の情報表示システムにおいて、前記発光制御手段は、予め規定された閾値に基いて、発光する色を制御することを特徴とする。
【００１５】
また、請求項５に記載の情報表示システムは、請求項１〜４のいずれか一項に記載の情報表示システムにおいて、前記発光制御手段は、単位時間当たりの情報の増減に応じて、時刻の高い数値から低い数値、又は低い数値から高い数値に向かって光が移動するように発光体を発光制御することを特徴とする。
【発明の効果】
【００１６】
本発明によれば、各エリアの従業員に対して顧客に気づかれることなく、容易に情報を通知することができる。また、発光体を発光させることで情報を通知するため、視認しやすく、瞬時に情報を把握することができる。また、各エリアに設定されている子機は何らの作業を行うことなく、すべての子機は標準時刻に維持され、子機同志の時刻ずれなども防止される。
【図面の簡単な説明】
【００１７】
【図１】本実施例に係る情報表示システムの構成を示し、図１（ａ）は全体構成を示す模式図、図１（ｂ）は情報管理装置と端末装置の具体的な構成を示す模式図である。
【図２】子機の機能を説明するための外観構成を示す模式図である。
【図３】情報表示システムにおける基本処理の動作例を示すフローチャート図である。
【図４】情報表示システムの具体的な動作例を示すフローチャート図である。
【発明を実施するための形態】
【００１８】
以下、本願の実施形態について図面を参照して説明する。
【００１９】
［基本構成］
図１は本実施例に係る情報表示システムの全体構成を示す図である。
【００２０】
図１（ａ）に示すように、情報表示システムＳは、情報検出装置１０と、情報管理装置３０と、端末装置５０と、を備えている。情報検出装置１０（本願の取得手段）と情報管理装置３０、情報管理装置３０と端末装置５０は、各々が無線又は有線による通信を行うことにより、各種情報等を相互に送受信可能である。
【００２１】
まず、情報検出装置１０について説明する。情報検出装置１０は、複数の各種情報を計測又は検知するセンサ等の機器を備え、各機器によって計測又は検知された情報は、適宜、情報管理装置３０に送信される。
【００２２】
この機器とは、例えば、商業施設における電力量情報、商業施設内の所定のエリアにおける入退室の人数情報、商業施設における万引き等の犯罪情報を検知するものであり、商業施設に設置される電力量等の物理量を測定する配電盤や電力メータ等の電力計測装置１１、所定の地点の通過の有無を測定することで所定のエリアを入退室する顧客の人数やレジスタ付近の人数を計測する人数計測装置１２、所定のエリアの出入口に設置され、レジスタを通していない商品の通過（犯罪情報）を検知する万引き防止装置１３等である。
【００２３】
なお、各装置１１〜１３は、所定の情報（電力量、人数、万引き等の犯罪の有無）を検知できればどのような形態の装置でもよく、上記実施例に限定されるものではなく、例えば、入退室する顧客の人数情報や犯罪情報は、ビデオカメラ等の撮像手段を用いて、ユーザの動きを撮影した画像情報を取得することで一定の不審な動きをした顧客を検知したり、画像情報に基づいて入退室をカウントして犯罪情報や入退室する顧客の人数情報を取得しても構わない。
【００２４】
次に、情報管理装置３０について説明する。図１（ｂ）に示すように、情報管理装置３０は、一般的にコンピュータと称する装置であって、情報検出装置１０で取得した各種情報を受信し情報を集約するとともに、端末装置５０で表示するか否かの判定や後述する発光体９５による発光形態（発光方式）を規定し、表示コマンドを作成する。なお、表示コマンドとは、時刻を設定するための情報や所定の発光態様で発光体９５を発光制御するための子機６５に対する指示情報である。
【００２５】
この情報管理装置３０は、時計部３１と、情報受信部３２と、ＣＰＵ３３と、情報送信部３４と、を備え、情報検出装置１０から送信された情報を情報受信部３２で受信し、ＣＰＵ３３の制御の下で、受信した情報の中から必要な情報を情報送信部３４によって端末装置５０に送信する。また、時計部３１は、図示しないが、例えば、インターネット等のネットワーク等に接続され、定期的に標準時刻情報を取得する。
【００２６】
このようにＣＰＵ３３は、各部３１〜３４に接続され、各部３１〜３４の作動制御を行う。また、図示しないが、ＣＰＵ３３にはメモリ等により構成される記憶部を備え、この記憶部には、情報検出装置１０から送信される情報が記憶される。
【００２７】
次に、端末装置５０について説明する。図１（ａ）、（ｂ）に示すように、端末装置５０は、１つの親機５５と、１つ又は複数の子機６５（本願の端末機）と、を備え、親機５５と子機６５は無線又は有線により接続されて各種情報を相互に送受信可能である。
【００２８】
親機５５は、情報受信部５６と、時計部５７と、情報送信部５８と、各部５６〜５８に接続され、各部５６〜５８の作動制御を行うＣＰＵ５９と、を備え、情報管理装置３０から送信された情報を情報受信部５６で受信し、ＣＰＵ５９の制御の下で、受信した情報の中から必要な情報を情報送信部５８によって子機６５に送信する。また、時計部５７は、情報管理装置３０から送信される標準時刻情報を取得し、情報送信部５８により子機６５に標準時刻情報を含む同期情報を定期的に送信する。
【００２９】
一方、子機６５は、情報受信部６６と、情報送信部６７と、時計部６８と、ＬＥＤ等の発光部６９と、発光部６９の発光形態を制御する発光制御回路を有する発光制御部７０と、各部６６〜７０に接続され、各部６６〜７０の作動制御を行うＣＰＵ７１と、を備える。そして、子機６５は、親機５５から送信された情報を情報受信部６６で受信し、ＣＰＵ７１の制御の下で、発光制御部７０によって制御される発光形態で発光部６９を発光させる。また、時計部６８は、親機から送信される標準時刻情報を含む同期情報に基づいて子機６５自身の時刻を標準時刻に設定し、親機５５と子機６５の時刻を同期させる。
【００３０】
また、子機６５の時計部６８は、図２に示すような一般的にアナログ時計と称する時計が用いられ、時刻がアナログ表示された文字盤８６と、文字盤８６の数字を指し示す指針８９と、指針８９を駆動する駆動部（図示なし）とを備え、駆動部によって所定の時間（タイミング）で指針８９が駆動制御され時刻を表示する。
【００３１】
［子機の機能構成］
図２は子機の機能を説明するための外観構成を示す模式図である。
【００３２】
子機６５は、正面視において略円形の本体８０を備える。本体８０は正面に表示部８５を備え、この表示部８５には、１〜１２の数字が円周の等分の位置に配置され、時刻がアナログ表示された文字盤８６と、文字盤８６の数字を指し示す指針８９と、を備えている。指針８９は、１回転が６０分を示す長針８８、１回転が１２時間を示す短針８７と、を備え、各針８７、８８が文字盤８６の数字を指し示すことで現在の時刻を表示する。
【００３３】
また、文字盤８６の周囲には、円環状に形成された複数列の発光部９１、９２、９３が設けられている。各発光部９１、９２、９３は、各種情報の各々に対応して設けられており、発光部９１、９２、９３は、時刻を表す各目盛の外側に沿って配置される複数の発光素子９４で構成される発光体９５を備えている。したがって、例えば、各発光部９１、９２、９３は、分刻みに対応して１周が６０個の発光素子９４を備えている。
【００３４】
そして、発光部９１、９２、９３は、時刻の１２時を原点位置として、情報検出装置１０により取得される各情報に対応する前記時刻を表す目盛に相当する発光素子９４が発光されることによって各種情報が発光表示される。
【００３５】
また、時刻の目盛に対する情報検出装置１０によって取得された情報の数値は、任意に設定されるが、好適には、時刻の目盛は、時間単位を示す１〜１２の数と分単位を示す６０の数を有するため、情報検出装置１０によって取得された情報の数値は、この時間単位又は分単位の目盛に割り当てられる。
【００３６】
また、情報検出装置１０によって検出される情報は、一例として、電力量、人数情報、犯罪情報を有する。以下に各情報に基づいて発光体９５を発光させる発光形態について詳述する。
【００３７】
例えば、情報検出装置１０によって検出された電力量が７００ｋＷｈであって、単に、時刻の数値に対応させる場合には、１２時から７時に相当する発光素子９４が発光制御される。
【００３８】
また、予め目標とする電力（契約電力量（例えば、１０００ｋｗｈ）を規定しておき、この電力量に対する換算値（％）として表示する場合には、７０％であるから、発光部９１に示すように、１２時から７時に相当する発光素子９４が発光制御される。この際には、時刻の数値は１２まであるため、時刻の１０時に相当する発光素子９４Ａを発光させることにより、従業員は百分率で表示されていることを容易に理解することができる。
【００３９】
また、予め閾値を規定しておき、この閾値を超えた場合には、色を変化させてもよい。このようにすれば、従業員に対して注意喚起が容易にできるとともに、従業員に対して容易に節電を意識させることができる。
【００４０】
また、情報検出装置１０によって検出される情報の増減にしたがって、発光素子９４を順番に発光させて光を移動させることで情報の増減を表現するとよい。具体的には、単位時間当たりの情報の増減に応じて文字盤の高い数値から低い数値、又は低い数値から高い数値に向かって光が移動するように発光体９５を発光制御する。このようにすれば、施設内の電力量の推移をより理解しやすく、従業員に対してより節電を意識させることができる。
【００４１】
次に、情報検出装置１０によって検出される情報が人数情報である場合には、平常時の人数を予め規定しておき、この平常時の人数に対して検出された情報を百分率表示することで、従業員はエリア内の混み具合を容易に把握することができる。
【００４２】
また、予めレジスタで対応可能な人数を閾値として規定しておき、例えば、閾値以下であれば緑色で表示し、検出された人数がこの閾値を超えたときに色を変えて赤色表示することで、レジスタの店員不足を従業員に通知することができる。また、色を変えることによって従業員は瞬時にレジスタ付近の顧客の人数を把握することができる。
【００４３】
次に、情報検出装置１０によって検出される情報が犯罪情報である場合には、施設の階層を時刻の数値に対応させて表示し、犯罪情報が検出された階と他の階を色度を変えて表示するとよい。具体的には、発光部９３に示すように、施設が１２階で構成され、８階で犯罪情報が検出された場合、時刻の７時３０分から８時３０分に相当する発光素子９４を発光制御せずに、その他の部分の色を変えて表示することで、従業員は犯罪の有無や場所を特定することが容易にできる。
【００４４】
また、目立たせる意味で発光素子９４を赤く発光、又は点滅することでより、従業員は情報を瞬時に理解することができる。
【００４５】
なお、犯罪情報が検出されない場合には、発光体９５を発光させないように制御することで従業員は犯罪の有無をより瞬時に理解することができる。
【００４６】
このように、子機６５の表示部８５は、発光部９１、９２、９３によって、複数の情報が視覚的にわかりやすく発光表示されるため、従業員は注視しなくても複数の情報の状態を瞬間的に容易に把握できる。また、発光部９１、９２、９３の点滅や色の変化により従業員は瞬間的に把握できる。さらに、時間経過によって情報の増減状態を光で表現することで、店舗内の人数や電力量の推移を容易に確認して理解することができる。
【００４７】
［基本処理の動作例］
次に、情報表示システムの基本処理の動作例について図３を用いて説明する。図３は基本処理の動作例を示すフローチャート図である。
【００４８】
まず、ステップＳ１〜ステップＳ３に示すように、情報管理装置１０、親機５５、子機６５が、それぞれ初期設定を行った後に、情報管理装置１０が親機５５に対してネットワーク構成情報を送信する（ステップＳ４）。親機５５は当該ネットワーク構成情報に基づいて情報管理装置１０との間でネットワークを構築するとともに、子機６５に対してネットワーク構成情報を送信し（ステップＳ５）、子機６５は当該ネットワーク構成情報に基づいて親機５５との間でネットワークを構築する（ステップＳ６）。
【００４９】
次に、情報管理装置１０では、定期的に、親機５５及び子機６５の状態を把握しつつ、情報検出装置１０の情報に基いて親機５５を介して子機６５の発光部６９が発光制御されるループ処理が開始される（ステップＳ７）とともに、子機６５及は親機５５と定期的に通信を開始し、親機５５は情報管理装置３０と定期的に通信を開始する（ステップＳ８、Ｓ９）。
【００５０】
このループ処理において、情報管理装置１０には、ステップＳ１０〜ステップＳ１２に示すように、定期的に親機５５の状態データ及び子機６５の状態データが送信され、情報管理装置１０は当該親機５５及び子機６５の状態データを受信する（ステップＳ１３、Ｓ１４）。なお、親機５５の状態データとは、親機５５の子機６５に対する処理情報や親機５５自身の処理情報等である。また、子機６５の状態データとは、子機６５自身の処理情報等である。
【００５１】
なお、図示しないが、ネットワークが構築されると、情報管理装置１０は、例えばインターネットとの接続によって、定期的に標準時刻情報を受信し、定期的に標準時刻情報を親機５５に対して送信し、親機５５は、この標準時刻情報に基づいて時刻を設定するとともに、子機６５に時刻の同期データを送信する（ステップＳ１５）。そして、子機６５は、この同期データを受信し、時刻を設定する（ステップＳ１６）。
【００５２】
次に、ステップＳ１７、Ｓ１８に示すように、親機５５と子機６５は、表示コマンドを受信したか否かを判断し、受信していない場合には、ステップＳ８、Ｓ９に戻り、表示コマンドを受信するまで待機する。
【００５３】
一方、情報管理装置３０は、情報検出装置１０から送信された情報に基づいて表示処理を行うか否かを判断する（ステップＳ１９）。この判断は、例えば、各種情報に基づいてループ周期が一定の時間間隔に設定されて行われるもので、情報の種類によって判断される。
【００５４】
この判断が否定されればステップＳ７に戻り、この判断が肯定されれば、表示コマンドを作成し親機５５に送信する（ステップＳ２０）。
【００５５】
親機５５は、この表示コマンドを受信すると、子機６５へ表示コマンドを送信する（ステップＳ２１）。子機６５は、この表示コマンドを受信し（ステップＳ２２）、ステップＳ２３に示すように、この表示コマンドに基いて発光部６９を所定の表示態様で発光制御するとともに、親機５５に表示コマンドを実行した旨の実行情報を送信する（ステップＳ２４）。また、子機６５は、親機５５とのネットワークの構築を継続し、親機５５から時刻同期データや表示コマンドの再送信が行われるまで待機する。
【００５６】
次に、親機５５は、子機６５から実行情報を受信し、情報管理装置１０に実行情報を送信する（ステップＳ２５）。また、親機５５は、情報管理装置１０とのネットワークの構築を継続し、情報管理装置１０から標準時刻情報や表示コマンドの再送信が行われるまで待機する。
【００５７】
そして、情報管理装置１０は、この実行情報を受信し（ステップＳ２６）、ループ処理を継続する。
【００５８】
以上に説明したように、本実施例では、情報管理装置１０により定期的に標準時刻情報を受信し、親機５５を介して、子機６５に受信した標準時刻情報を送信し、子機６５の時刻を標準時刻情報に基づいて設定する。また、情報検出装置１０から送信された情報の中から適宜必要な情報を親機５５を介して子機６５に送信し、子機６５に設けられた発光部６９を発光制御する。
【００５９】
これによって、本実施例の情報表示システムＳは、各エリアの従業員に対して顧客に気づかれることなく、容易に情報を通知（伝達）することができる。また、各エリアの子機６５は何らの作業を行うことなく、すべての端末装置５０は標準時刻に維持され、子機６５同志の時刻ずれなども防止される。
【００６０】
［具体的な動作例］
次に、情報表示システムＳの具体的な動作処理について図４を用いて説明する。本実施例では、大型の商業施設に情報表示システムを設置した一例を説明するが、特に商業施設に限定されるものではなく、施設には、コンテナヤード等の大規模空間、騒音を生じる工場等でも構わない。
【００６１】
また、大型の商業施設は、例えば、複数の階を有し、各階が所定のエリアに区分けされた施設であり、各エリアには、管理室、警備室、設備室、各種店舗等が割り当てられる。
【００６２】
また、各階には、入口に万引き防止装置１３が設置され、各店舗のレジ付近には、人数計測装置１２が設置され、設備室には、電力計測装置１１が設置され、管理室には、情報管理装置１０と親機５５が設置され、各店舗には子機６５が配置されているものとする。なお、情報管理装置１０と親機５５は一体化されても構わない。
【００６３】
また、情報表示システムＳは、予め規定された条件ファイルにしたがってプログラムが実行される。例えば、条件ファイルの一例として、万引き防止装置１３から取得した情報は即時性が高いためループ周期が３秒に設定され、人数計測装置１２及び配電盤１１から取得した他の情報は即時性が低いためループ周期が５分に設定される。すなわち、万引き防止装置１３は、３秒間隔で情報管理装置１０に情報を送信し、他の装置１１、１２は、５分間隔で情報管理装置１０に各情報を送信する。
【００６４】
また、条件ファイルの一例として、表示態様に関し、電力計測装置１１から取得される電力量は、契約電力量の８０％、９０％、１００％を閾値として設定し、取得される電力量に応じて色彩を変えて発光表示される。また、人数計測装置１２から取得される人数情報は、所定の規定値を閾値として設定し、人数情報が閾値以下の場合には緑色で発光表示され、人数情報が閾値を超えた場合に赤色で発光表示される。万引き防止装置１３から取得される犯罪情報は、防犯発生階のみが赤色で発光表示され、他の階は黄色で発光表示される。この表示態様やループ周期、又は初期設定等は、条件ファイルとして記憶部に記憶され、所定のプログラム実行時に読み出される。
【００６５】
まず、情報管理装置が条件ファイルにしたがって初期設定され（ステップＳ３１）、情報管理装置１０、親機５５、子機６５間でネットワークが構築される。
【００６６】
次に、設定されたループ周期１によりループ処理が開始される（ステップＳ３２）。ここで、条件ファイルにしたがってループ処理の対象時間（時刻）内であるか否かが判断され（ステップＳ３３）、対象時間外であれば、発光部６９を発光表示しない旨の表示コマンドを親機５５に送信し（ステップＳ３４）、親機５５はこの表示コマンドを受信するとともに、子機６５に表示コマンドを送信する（ステップＳ３５）。そして、子機６５は表示コマンドに基いて発光部６９を発光制御する（ステップＳ３６）。
【００６７】
一方、対象時間内であれば、万引き防止装置１３から送信される犯罪情報が情報管理装置１０によって取得される（ステップＳ３７）。
【００６８】
次に、情報管理装置１０は、犯罪情報が検出されたか否かを判断し（ステップＳ３８）、犯罪情報が検出されない場合には、子機６５の発光部６９は発光不要と判断し、発光不要の表示コマンドを作成する（ステップＳ３９）。
【００６９】
一方、犯罪情報が検出された場合には、子機６５の発光部６９による発光が必要と判断し、所定の表示形態で発光するための表示コマンドを作成する（ステップＳ４０）。この表示コマンドは、例えば、対象となる発光部９１〜９３の番号、表示開始位置、表示終了位置、色彩情報、点滅の有無等の情報が一定の形式で配列され電文によって構成される。
【００７０】
次に、情報管理装置１０は、親機５５に表示コマンドを送信する必要があるか否かを判断し（ステップＳ４１）、この判断が肯定されれば、親機５５に表示コマンドを送信し、親機５５はこの表示コマンドを受信するとともに、子機６５に表示コマンドを送信する（ステップＳ４２）。そして、子機６５は表示コマンドに基いて発光部６９を発光制御する（ステップＳ４３）。
【００７１】
次に、情報管理装置１０は、ループ周期２の設定時間を経過したか否かを判断する（ステップＳ４４）。この判断が否定されれば、ステップＳ３２に戻りループ周期１を継続し、肯定されれば次のステップＳ４５に進む。
【００７２】
ステップＳ４５では、電力計測装置１１から送信される電力量情報が情報管理装置１０によって取得され、条件ファイルに記載された実行条件にしたがって表示コマンドが作成される（ステップＳ４６）。
【００７３】
また、人数計測装置１２から送信される人数情報が情報管理装置１０によって取得され（ステップＳ４７）、条件ファイルに記載された実行条件にしたがって表示コマンドが作成される（ステップＳ４８）。
【００７４】
そして、情報管理装置１０は、ステップＳ４９において、前回作成された表示コマンドと新たに作成された表示コマンドが異なる場合には、表示処理が必要と判断し、表示コマンドを親機５５に送信する（ステップＳ５０）。親機５５は、この表示コマンドを受信するとともに、子機６５に表示コマンドを送信する（ステップＳ５１）。そして、子機６５は表示コマンドに基いて発光部６９を発光制御する（ステップＳ５２）。
【００７５】
一方、ステップＳ４９において、前回作成された表示コマンドと新たに作成された表示コマンドが同一の場合には、情報管理装置１０は、表示処理が不要と判断し、ステップＳ３２に戻り、ループ周期１の処理を続行する。
【００７６】
なお、情報管理装置１０は、ステップＳ５０において、表示コマンドを親機５５に送信した後は、ステップＳ３２に戻り、ループ周期１の処理を続行する。
【００７７】
以上に説明したように、本実施例の情報表示システムＳでは、情報検出装置１０としての電力計測装置１１、人数計測装置１２、万引き防止装置１３から送信された情報の中から適宜必要な情報を親機５５を介して子機６５に送信し、子機６５に設けられた発光部６９を発光制御する。
【００７８】
具体的には、即時性を有する万引き防止装置１３から送信される犯罪情報は短い時間単位で受信し、即時性を有しない配電盤１１及び人数計測装置１２から送信される犯罪情報は、比較的長い時間単位で受信し、必要に応じて各情報が発光部６９において発光制御される。
【００７９】
これによって、各エリアの従業員に対して顧客に気づかれることなく、容易に情報伝達を行うことができる。また、各エリアの子機６５は何らの作業を行うことなく、すべての端末装置５０は標準時刻に維持され、子機６５同志の時刻ずれなども防止される。
【００８０】
なお、本願は本実施形態に限定されるものではなく、種々の形態にて実施することが可能である。
【符号の説明】
【００８１】
Ｓ  情報表示システム
１０  情報検出装置
６５  子機
６８  時計部
７０  発光制御部
９４、９４Ａ  発光素子
９５  発光体
【図１】
2019074499.tif 000003
【図２】
2019074499.tif 000004
【図３】
2019074499.tif 000005
【図４】
2019074499.tif 000006